(57)【要約】【課題】無線高速データシステムにおいて公衆ネットワークあるいは私設ネットワークの共通で使用する方法及びシステムを提供する。【解決手段】無線公衆ネットワークの端末及び無線私設ネットワークの端末に無線チャネルを通してそれぞれ臨時識別子を割り当て、基地局と、無線公衆ネットワーク及び無線私設ネットワークの端末によってそれぞれ異なる認証の処理、端末の臨時識別子割り当て、基地局制御器と、私設認証システムと、無線公衆ネットワークの端末のサービス情報及び無線私設ネットワーク端末においてサービスを受けるための情報をさらに備えるデータ位置貯蔵器と、基地局と基地局制御器及び私設認証システムとの間に送信されるデータを中継し、端末から受信される臨時識別子によって無線私設ネットワークサービスと無線公衆ネットワークサービスを区分するハブと、を少なくとも含むことを特徴とする。【選択図】　図１
2004104802.tif 000002
【特許請求の範囲】
【請求項１】
　無線公衆ネットワークの端末あるいは無線私設ネットワークの端末を共通でサービスするための無線高速データシステムにおいて、
　前記無線公衆ネットワークの端末及び前記無線私設ネットワークの端末に無線チャネルを通してそれぞれ臨時識別子を割り当て、各前記端末に高速データシステムのサービスを提供する基地局と、
　前記無線公衆ネットワークの端末及び前記無線私設ネットワークの端末によってそれぞれ異なる認証の処理、端末の臨時識別子割り当て、各端末のセッション管理及び各端末の送受信されるデータの制御を遂行する基地局制御器と、
　前記私設無線ネットワークの端末の認証のための認証データベースを備える私設認証システムと、
　前記無線公衆ネットワークの端末のサービス情報及び前記無線私設ネットワーク端末の無線私設ネットワークにおいてサービスを受けるための情報をさらに備えるデータ位置貯蔵器と、
　前記基地局と前記基地局制御器及び私設認証システムとの間に送信されるデータを中継し、前記端末から受信される臨時識別子によって無線私設ネットワークサービスと無線公衆ネットワークサービスを区別するハブと、を少なくとも含むことを特徴とするシステム。
【請求項２】
　前記基地局及び基地局制御器はＩＰ通信を遂行するためのＩＰアドレスを割り当て、前記割り当てられたアドレスにデータ及びシグナリングの処理が行われる請求項１記載のシステム。
【請求項３】
　前記ハブと接続され、前記私設無線ネットワークの端末のみにデータサービスのためのデータサービスノードをさらに備える請求項１記載のシステム。
【請求項４】
　前記データ位置貯蔵器は、
　前記無線私設ネットワークの端末が前記無線公衆ネットワークにおいても使用される端末である場合、前記端末に前記無線私設ネットワーク端末情報及び前記無線公衆ネットワークの端末の情報を全部有し、端末が予め設定された基地局内に位置する場合、私設ネットワークの臨時識別子を割り当てる請求項１記載のシステム。
【請求項５】
　前記データ位置貯蔵器は、
　所定の端末が予め設定された基地局内に予め設定された時間帯に位置する場合、私設ネットワークの臨時識別子を割り当てる請求項１記載のシステム。
【請求項６】
　前記ハブは、
　前記端末から受信される臨時識別子を利用して無線私設ネットワークと無線公衆ネットワークを区別して呼を接続する請求項１記載のシステム。
【請求項７】
　無線公衆ネットワークと無線私設ネットワークとのサービスを区別してルーティングを遂行するハブ、及び前記ハブから無線私設ネットワークのサービスが要求される場合にサービスを遂行するための制御過程を遂行する基地局制御器を含む無線高速データシステムにおける発呼方法において、
　ハブが、基地局を通して所定の端末から発呼が要求されると、前記端末から受信される臨時識別子及び目的地アドレスを検査して無線私設ネットワークサービスが要求されるか否かを検査する過程と、
　前記ハブが、前記検査結果、無線私設ネットワークのサービスが要求される場合、前記基地局と接続が設定された基地局制御器に呼を接続する過程と、
　前記基地局制御器が、私設認証システムを通して前記端末の認証の可否を検査する過程と、
　前記基地局制御器が、前記端末が認証される場合、要求する目的地アドレスに呼を設定して通信モードを遂行する過程と、を含むことを特徴とする方法。
【請求項８】
　通信が完了する場合、前記端末の位置登録を遂行する過程をさらに含む請求項７記載の方法。
【請求項９】
　無線公衆ネットワークと無線私設ネットワークとのサービスを区別してルーティングを遂行するハブ、前記ハブから無線私設ネットワークのサービスが要求される場合にサービスを遂行するための制御過程を遂行する基地局制御器、及び無線公衆ネットワーク及び前記無線私設ネットワーク端末の情報を有するデータ位置貯蔵器を含む無線高速データシステムにおける着呼方法において、
　前記基地局制御器が、所定のパケットデータサービスノードから無線私設ネットワーク内の所定の端末に呼の接続が要求される場合、前記位置登録貯蔵器にページングを要求する過程と、
　前記位置登録貯蔵器が、前記信号に対する応答信号及びページング信号を前記端末が位置した該当基地局制御器に提供する過程と、
　前記ページング信号を受信した基地局制御器が、前記端末にページングを遂行する過程と、
　前記端末からページング応答信号受信する時、前記端末に対して認証システムを通して認証を遂行する過程と、
　前記認証が完了すると、前記端末と前記パケットデータサービスノードとの間の通信モードを遂行する過程と、を含むことを特徴とする方法。
【請求項１０】
　通信が完了する場合、前記端末の位置登録を遂行する過程をさらに含む請求項９記載の方法。
【請求項１１】
　前記ハブは、前記無線公衆ネットワークに発呼の時、前記無線公衆ネットワークに含まれたハブを通して発呼処理を遂行する請求項１記載のシステム。
【請求項１２】
　前記私設認証システムは、前記無線公衆ネットワークの無線端末の認証のためのデータベースをさらに含む請求項１記載のシステム。
【請求項１３】
　前記無線私設ネットワークのサービス要求検査は、前記端末から受信された目的地アドレスが無線私設ネットワークのアドレスである場合、無線私設ネットワークサービスとして決定する請求項７記載の方法。
【請求項１４】
　前記発呼を要求した端末から受信された臨時識別子は、前記端末が無線私設ネットワークの端末であるか、無線公衆ネットワークの端末であるかを区別する請求項７記載の方法。
【請求項１５】
　前記ハブは、前記基地局を通して受信された前記端末の臨時識別子及び目的地アドレスを検査した結果、無線公衆ネットワークのサービスが要求されると、無線公衆ネットワークのサービスを提供するための手順を遂行する過程をさらに含む請求項７記載の方法。
【請求項１６】
　前記ハブは、無線公衆ネットワークのサービスが要求されると、無線公衆ネットワークサービスのために、前記無線公衆ネットワークのハブに呼が要求された端末の臨時識別子及び前記目的地アドレスを伝達する過程をさらに含む請求項１５記載の方法。
【請求項１７】
　無線公衆ネットワーク端末あるいは無線私設ネットワークの端末を共通でサービスするための無線高速データシステムにおいて、
　前記無線公衆ネットワーク及び前記無線私設ネットワークにおいて共通で使用することができ、無線公衆ネットワークサービスの時は、前記無線公衆ネットワークの臨時識別子を利用して呼の着／発信を遂行し、前記無線私設ネットワークサービスの時は、無線私設ネットワークの臨時識別子を利用して呼の着／発信を遂行する端末と、
　前記端末との無線チャネルを通して高速データサービスを提供し、予め決定された地域に位置する場合は、前記無線公衆ネットワーク及び前記無線私設ネットワークの臨時識別子を割り当て、前記予め決定された地域以外に位置する場合は、前記無線公衆ネットワークの臨時識別子を割り当てる基地局と、
　前記無線公衆ネットワーク端末及び前記無線私設ネットワークの端末によって異なる認証の処理を遂行し、端末の情報によって無線私設ネットワークの臨時識別子または無線公衆ネットワークの臨時識別子を割り当て、前記端末のセッション管理及び前記端末に送受信されるデータの制御を遂行する基地局制御器と、
　前記私設無線ネットワークの端末の認証のための認証データベースを備える私設認証システムと、
　前記無線公衆ネットワーク端末のサービス情報、及び前記無線私設ネットワーク端末の無線私設ネットワークにおいてサービスを受けるための情報をさらに備えるデータ位置貯蔵器と、
　前記基地局と前記基地局制御器及び私設認証システムとの間に送信されるデータを中継し、前記端末から受信される臨時識別子によって無線私設ネットワークサービスと無線公衆ネットワークサービスを区別するハブと、を少なくとも含むことを特徴とするシステム。
【請求項１８】
　前記ハブは、前記端末が前記無線公衆ネットワークの臨時識別子を要求する時、前記無線公衆ネットワークのハブに接続して、臨時識別子が割り当てられるようにする請求項１７記載のシステム。
【請求項１９】
　前記基地局制御器は、前記ハブを通して臨時識別子が要求された前記端末が前記無線公衆ネットワークの臨時識別子を要求する時、前記無線公衆ネットワークの臨時識別子を割り当てる請求項１７記載のシステム。
【請求項２０】
　前記ハブは、
　前記端末が無線公衆ネットワークのサービスを要求する時、前記無線公衆ネットワークのハブによって前記呼をルーティングする請求項１７記載のシステム。
【請求項２１】
　前記ハブと接続され、前記無線私設ネットワークの端末のみにデータサービスを提供するデータサービスノードをさらに含む請求項１７記載のシステム。
【請求項２２】
　前記基地局及び基地局制御器はＩＰ通信を遂行するためのＩＰアドレスを割り当て、前記割り当てられたアドレスにデータ及びシグナリングの処理が行われる請求項１７記載のシステム。
【発明の詳細な説明】
【技術分野】
【０００１】
　本発明は、公衆ネットワークシステムを私設ネットワークにおいて共用で使用するためのシステム及び方法に関し、特に、移動通信システムの公衆ネットワークシステムを私設ネットワークとして共用し使用するためのシステム及び方法に関する。
【背景技術】
【０００２】
　一般的に、移動通信システムは、使用者の移動性を保障しながら音声通話を行うために開発された。この音声通話を主にサービスを行う移動通信システムは、使用者の要求に応じて技術の開発が進行められており、最近では短いデータサービスについても提供することができるようになった。つまり、移動通信システムは、音声の呼び出しサービスだけでなく、データサービスとして、ショートメッセージの伝送、端末機のベル音である音楽ファイルの伝送、簡単なインターネット通信サービス及び金融決済サービスなどを提供している。
【０００３】
　このように、移動通信システムにおいては、データサービスを提供しながら、移動通信加入者へより多くの情報を高速で提供できる方案が論議中であり、現在実用化のための準備作業が進められている。このような高速データサービスを提供する方法として論議されている方案は、ＣＤＭＡ２０００ １ｘ ＥＶ-ＤＯ(以下、無線高速データシステム)と言われ、移動通信端末に高速でデータを伝送するためのシステムとして論議された。従って、無線高速データシステムは、既存のシステムとは異なるチャネルを有するようになり、これによって、高速でデータを伝送するデータチャネル、付加チャネル、シグナリングチャネル、及び媒体アクセス制御（medium access control：ＭＡＣ）チャネルなどのチャネルが定義され、定義された各チャネルの構造及びチャネルに伝送できる各種データ規格に対する論議が行われた。前述したように、無線高速データシステムは、一般的な無線ネットワークとは異なる性質を有する。
【０００４】
　一方、一般的な無線ネットワークは、無線公衆ネットワークと特定の目的を有するグループまたは会社などで利用する無線私設ネットワークとに区別される。一般的に、無線私設ネットワークは、特定の無線公衆ネットワークと連動するように構成される。より詳細に説明すると、無線私設ネットワークも、無線公衆ネットワークにおいて必要である基地局(active node transfer system：ＡＮＴＳ)、基地局制御器(avtive network control：ＡＮＣ)及び私設交換器を備えるべきであり、認証のためにビジターロケーションレジスタ（visitor location register：ＶＬＲ）またはホームロケーションレジスタ（home location register：ＨＬＲ）を備えるべきである。しかしながら、無線私設ネットワークが前述した仕様を備えるようになると、私設ネットワーク設置において多くのコストの損失が発生する。さらに、無線私設ネットワークにおいて使用される端末機を無線公衆ネットワークにおいても使用する必要がある。その理由としては、使用者が無線私設ネットワークから外部へ移動する場合、または、逆に外部から無線私設ネットワークへ移動する場合、異なる２つの端末機を使用すると、使用者にとって不便であり、更にコスト面でも不合理になるからである。さらに、無線私設ネットワーク及び無線公衆ネットワークがそれぞれ異なる目的でネットワークを構成すべできであるので、同一の地域に異なる目的の無線私設ネットワーク及び無線公衆ネットワークを同時に具現化することによって、同一または類似した地域に多くのＡＮＴＳの設置が要求される。これは、設置会社の立場から経済的に多大の損失が発生することになる。
【０００５】
　従って、無線公衆ネットワークの一部を無線私設ネットワークとして利用する方法が提供されている。このような方法は、１つの移動端末に対して、特定地域内では無線私設ネットワークのサービスが提供され、その以外の地域では無線公衆ネットワークのサービスが提供される方式である。このような場合、同一の地域に１つのＡＮＴＳのみを設置するようになるので、経済的に有利である。さらに、このような概念から、特定地域とその他の地域とに区分して異なるサービスを提供するための技術が提供されている。
【０００６】
　無線高速データシステムは、前述したように、多くの点から主に音声サービスを提供するＣＤＭＡ １ｘシステムとは多くの相違点を有する。従って、現在開示されているＣＤＭＡ １ｘシステムのような方式においては、無線公衆ネットワークと無線私設ネットワークとを共有することが不可能である。つまり、前述したように、無線私設ネットワーク及び無線公衆ネットワークを共用して使用する必要はあるが、従来の技術をそのまま使用することはできない。
【０００７】
　さらに、現在開発されている１ｘ ＥＶ-ＤＯシステムのＡＮＴＳ及びＡＮＣは、非常に高価の装備を使用する。これは、１ｘ ＥＶ-ＤＯシステムにおけるＡＮＴＳ及びＡＮＣにおいて非同期転送モード（asynchronous transfer mode：ＡＴＭ）スイッチを使用することによって発生する問題である。従って、低価格のＡＮＴＳ及びＡＮＣの提供が要求されている。
【発明の開示】
【発明が解決しようとする課題】
【０００８】
　このような問題点を解決するための本発明の目的は、無線高速データシステムにおける公衆ネットワークあるいは私設ネットワークを共用で使用するためのシステム及び方法を提供することにある。
【０００９】
　本発明の他の目的は、無線高速データシステムにおける公衆ネットワークあるいは私設ネットワークを低価格で共用で使用するためのシステム及び方法を提供することにある。
【００１０】
　本発明の他の目的は、無線高速データシステムにおいて、システムを特別に変更せずに、公衆ネットワークあるいは私設ネットワークを共用で使用するためのシステム及び方法を提供することにある。
【課題を解決するための手段】
【００１１】
　このような目的を達成する本発明の無線公衆ネットワークの端末あるいは無線私設ネットワークの端末を共通でサービスするための無線高速データシステムは、無線公衆ネットワークの端末及び無線私設ネットワークの端末に無線チャネルを通してそれぞれ臨時識別子（Unicast Access Terminal Identifier：ＵＡＴＩ）を割り当て、各端末に高速データシステムのサービスを提供するＡＮＴＳと、無線公衆ネットワークの端末及び無線私設ネットワークの端末によってそれぞれ異なる認証の処理、端末のＵＡＴＩ割り当て、各端末のセッション管理及び各端末の送受信されるデータの制御を遂行するＡＮＣと、私設無線ネットワークの端末の認証のための認証データベースを備える私設認証システムと、無線公衆ネットワークの端末のサービス情報及び無線私設ネットワーク端末の無線私設ネットワークにおいてサービスを受けるための情報をさらに備えるデータ位置貯蔵器と、ＡＮＴＳとＡＮＣ及び私設認証システムとの間に送信されるデータを中継し、端末から受信されるＵＡＴＩによって無線私設ネットワークサービスと無線公衆ネットワークサービスを区分するハブと、を少なくとも含むことを特徴とするシステム。
【００１２】
　本発明のＡＮＴＳ及びＡＮＣはＩＰ通信を遂行するためのＩＰアドレスを割り当て、割り当てられたアドレスにデータ及びシグナリングの処理が行われるとよい。
【００１３】
　また、本発明であるシステムはハブと接続され、私設無線ネットワークの端末のみにデータサービスのためのデータサービスノードをさらに備えるようにしてもよい。
【００１４】
　本発明のデータ位置貯蔵器は、無線私設ネットワークの端末が無線公衆ネットワークにおいても使用される端末である場合、端末に無線私設ネットワーク端末情報及び無線公衆ネットワークの端末の情報を全部有し、端末が予め設定されたＡＮＴＳ内に位置する場合、私設ネットワークのＵＡＴＩを割り当てるとよい。
【００１５】
　そしてまた、本発明のデータ位置貯蔵器は、所定の端末が予め設定されたＡＮＴＳ内に予め設定された時間帯に位置する場合、私設ネットワークのＵＡＴＩを割り当てるとよい。
【００１６】
　また、本発明のハブは、端末から受信されるＵＡＴＩを利用して無線私設ネットワークと無線公衆ネットワークを区分して呼を接続するとよい。
【００１７】
　本発明の目的を達成するための本発明による、無線公衆ネットワークと無線私設ネットワークとのサービスを区分してルーティングを遂行するハブ、及びハブから無線私設ネットワークのサービスが要求される場合にサービスを遂行するための制御過程を遂行するＡＮＣを含む無線高速データシステムにおける発呼方法は、ハブが、ＡＮＴＳを通して所定の端末から発呼が要求されると、端末から受信されるＵＡＴＩ及び目的地アドレスを検査して無線私設ネットワークサービスが要求されるか否かを検査する過程と、ハブが、検査結果、無線私設ネットワークのサービスが要求される場合、ＡＮＴＳと接続が設定されたＡＮＣに呼を接続する過程と、ＡＮＣが、私設認証システムを通して端末の認証の可否を検査する過程と、ＡＮＣが、端末が認証される場合、要求する目的地アドレスに呼を設定して通信モードを遂行する過程と、を含むことを特徴とする方法。
【００１８】
　本発明の方法では通信が完了する場合、端末の位置登録を遂行する過程をさらに含むとよい。
【００１９】
　本発明の目的を達成するための本発明による、無線公衆ネットワークと無線私設ネットワークとのサービスを区分してルーティングを遂行するハブ、ハブから無線私設ネットワークのサービスが要求される場合にサービスを遂行するための制御過程を遂行するＡＮＣ、及び無線公衆ネットワーク及び無線私設ネットワーク端末の情報を有するデータ位置貯蔵器を含む無線高速データシステムにおける着呼方法は、ＡＮＣが、所定のパケットデータサービスノードから無線私設ネットワーク内の所定の端末に呼の接続が要求される場合、位置登録貯蔵器にページングを要求する過程と、位置登録貯蔵器が、信号に対する応答信号及びページング信号を端末が位置した該当ＡＮＣに提供する過程と、ページング信号を受信したＡＮＣが、端末にページングを遂行する過程と、端末からページング応答信号受信する時、端末に対して認証システムを通して認証を遂行する過程と、認証が完了すると、端末とパケットデータサービスノードとの間の通信モードを遂行する過程と、を含むことを特徴とする方法。
【００２０】
　本発明のハブは、無線公衆ネットワークに発呼の時、無線公衆ネットワークに含まれたハブを通して発呼処理を遂行するとよい。
【００２１】
　本発明の私設認証システムは、無線公衆ネットワークの無線端末の認証のためのデータベースをさらに含むとよい。
【００２２】
　また、本発明の無線私設ネットワークのサービス要求検査は、端末から受信された目的地アドレスが無線私設ネットワークのアドレスである場合、無線私設ネットワークサービスとして決定するとよい。
【００２３】
　そしてまた、本発明の発呼を要求した端末から受信されたＵＡＴＩは、端末が無線私設ネットワークの端末であるか、無線公衆ネットワークの端末であるかを区分するとようにするとよい。
【００２４】
　また、本発明のハブは、ＡＮＴＳを通して受信された端末のＵＡＴＩ及び目的地アドレスを検査した結果、無線公衆ネットワークのサービスが要求されると、無線公衆ネットワークのサービスを提供するための手順を遂行する過程をさらに含むとよい。
【００２５】
　そしてまた、本発明のハブは、無線公衆ネットワークのサービスが要求されると、無線公衆ネットワークサービスのために、無線公衆ネットワークのハブに呼が要求された端末のＵＡＴＩ及び目的地アドレスを伝達する過程をさらに含むとよい。
【００２６】
　本発明の目的を達成するための本発明による、無線公衆ネットワーク端末あるいは無線私設ネットワークの端末を共通でサービスするための無線高速データシステムは、無線公衆ネットワーク及び無線私設ネットワークにおいて共通で使用することができ、無線公衆ネットワークサービスの時は、無線公衆ネットワークのＵＡＴＩを利用して呼の着／発信を遂行し、無線私設ネットワークサービスの時は、無線私設ネットワークのＵＡＴＩを利用して呼の着／発信を遂行する端末と、端末との無線チャネルを通して高速データサービスを提供し、予め決定された地域に位置する場合は、無線公衆ネットワーク及び無線私設ネットワークのＵＡＴＩを割り当て、予め決定された地域以外に位置する場合は、無線公衆ネットワークのＵＡＴＩを割り当てるＡＮＴＳと、無線公衆ネットワーク端末及び無線私設ネットワークの端末によって異なる認証の処理を遂行し、端末の情報によって無線私設ネットワークのＵＡＴＩまたは無線公衆ネットワークのＵＡＴＩを割り当て、端末のセッション管理及び端末に送受信されるデータの制御を遂行するＡＮＣと、私設無線ネットワークの端末の認証のための認証データベースを備える私設認証システムと、無線公衆ネットワーク端末のサービス情報、及び無線私設ネットワーク端末の無線私設ネットワークにおいてサービスを受けるための情報をさらに備えるデータ位置貯蔵器と、ＡＮＴＳとＡＮＣ及び私設認証システムとの間に送信されるデータを中継し、端末から受信されるＵＡＴＩによって無線私設ネットワークサービスと無線公衆ネットワークサービスを区分するハブと、を少なくとも含むことを特徴とするシステム。
【００２７】
　また、本発明のハブは、端末が無線公衆ネットワークのＵＡＴＩを要求する時、無線公衆ネットワークのハブに接続して、ＵＡＴＩが割り当てられるようにするとよい。
【００２８】
　また、本発明のＡＮＣは、ハブを通してＵＡＴＩが要求された端末が無線公衆ネットワークのＵＡＴＩを要求する時、無線公衆ネットワークのＵＡＴＩを割り当てるとよい。
【００２９】
　本発明のハブは、端末が無線公衆ネットワークのサービスを要求する時、無線公衆ネットワークのハブによって呼をルーティングするとよい。
【００３０】
　そしてまた、本発明のシステムはハブと接続され、無線私設ネットワークの端末のみにデータサービスを提供するデータサービスノードをさらに含むとよい。
【００３１】
　また、本発明のＡＮＴＳ及びＡＮＣはＩＰ通信を遂行するためのＩＰアドレスを割り当て、割り当てられたアドレスにデータ及びシグナリングの処理が行われるようにするとよい。
【発明の効果】
【００３２】
　本発明によれば、無線高速データシステムを構成する場合、公衆ネットワークあるいは私設ネットワークを共通で使用することができ、重複投資を低減することができるという利点がある。さらに、無線高速データシステムのＡＮＴＳ及びＡＮＣをＩＰ通信を遂行する装置として構成することによって、低コストで無線高速データシステムを構成することのできる利点がある。
【発明を実施するための最良の形態】
【００３３】
　以下、本発明に従う好適な一実施形態について添付図を参照しつつ詳細に説明する。下記の説明において、本発明の要旨のみを明確にする目的で、関連した公知機能または構成に関する具体的な説明は省略する。
【００３４】
　図１は、本発明の一実施形態による無線高速データシステムにおける公衆ネットワークあるいは私設ネットワークを共用で使用するためのネットワークの構成図である。
【００３５】
　図１を参照して、本発明による無線高速通信データシステムのネットワーク構成並びに各構成に対する機能及び動作に関して説明する。図１において、無線私設ネットワーク専用として使用されるか、または、無線私設ネットワーク及び無線公衆ネットワークにおいて共通で使用されるノードには、頭に小文字［ｐ］を付加して私設ネットワークノードであることを区分した。
【００３６】
　図１に示す無線高速データ端末(ＡＴ) １１及びＡＴ２１は、一般的な無線高速データシステムにおいて使用される端末である。ＡＴ１１及びＡＴ２１のうちＡＴ１１は、無線私設ネットワークサービス及び無線公衆ネットワークサービスを同時に受ける加入者であり、ＡＴ２１は、無線公衆ネットワークサービスを受ける加入者であると仮定する。さらに、図１に示す各ｐＡＮＴＳ１０１及びｐＡＮＴＳ１０２は、それぞれ所定の無線領域１０及び無線領域２０を有し、領域内へ端末が進入する場合、セッション(Session)を設定し、対応する端末に必要なＵＡＴＩを割り当てる時に必要な動作を遂行する。さらに、端末への呼の着信が行われるか、または、端末からの発呼が行われる場合、これによる動作を遂行する。ｐＡＮＴＳ１０１及びｐＡＮＴＳ１０２は、ハブ１１０と接続される。
【００３７】
　ハブ１１０は、無線私設ネットワーク内の各ノードと接続され、また、無線公衆ネットワークの他のノードと接続するために無線公衆ネットワークに対応する他のハブと接続される。図１は、無線私設ネットワークの外部と接続される場合には他のハブ１２０と接続される構成を示す。無線私設ネットワークの各ノードと接続されるハブ１１０は、端末が無線私設ネットワーク内の端末であり、無線私設ネットワーク内の端末または私設パケットデータサービスノード（private Packet Data Serving Node：ｐＰＤＳＮ）１１１のサービスと私設ネットワーク外部へのサービスとを区分してルーティングを遂行する。つまり、無線私設ネットワーク内の呼である場合、私設ネットワーク内のｐＡＮＣ１１２に呼を接続する。しかしながら、無線公衆ネットワークへの呼である場合、他のハブ１２０に呼を接続する。ハブ１１０は、予め決定された特定のサーバアドレスを有している。このサーバアドレスは、ＵＡＴＩの情報と比べて、特定のサーバを有するＵＡＴＩアドレスが予め決定されたサーバに、または、サーバを有するＵＡＴＩ端末に呼の要求がある場合、これを無線私設ネットワーク内の呼として検出することができる。
【００３８】
　これを、例を挙げて説明すると、無線私設ネットワーク加入者のＵＡＴＩは、以下のデータ位置貯蔵器（Data Location Register：ＤＬＲ）１２１から特定した場合、予め決定されたサーバのアドレスを有するように割り当てられる。例えば、予め決定されたサーバアドレスが［samsung.co.kr］または［samsung.com］である場合、無線私設ネットワークの端末は、［111@samsung.co.kr］のアドレスを有することができる。前述したように、無線私設ネットワークの端末が予め決定されたサーバアドレスのうち１つのアドレスに接続を要求するか、または、サーバを有する端末、例えば、［aaa@samsung.com］の端末への呼の接続が要求される場合、無線私設ネットワーク内の呼として検出される。呼を要求する端末のＵＡＴＩに含まれたサーバ、呼の着信が要求されるサーバまたは呼の着信が要求される端末のＵＡＴＩサーバのうちいずれか１つでも予め決定されたアドレスでない場合、公衆ネットワーク接続として検出する。これと異なって、ただＵＡＴＩが所定のサーバアドレスを有する場合も、私設ネットワークサービスとして検出することもできる。
【００３９】
　ハブ１１０は、無線私設ネットワークの端末のみを使用できるｐＰＤＳＮ １１１と接続され、無線私設ネットワーク及び無線公衆ネットワークに共通で使用されるｐＡＮＣ１１２及び無線私設ネットワークのみにおいて使用される私設認証システム(private Access Network Authentication Accounting Authorizationp：ｐＡＮ−ＡＡＡ)１１３と接続されてデータの中継を遂行する。ここで、ｐＡＮ−ＡＡＡ１１３は、無線私設ネットワーク及び無線公衆ネットワークにおいて共通で使用されるように構成されることもできる。これに対しては、特別な制限は無いが、説明の便宜のため、以下では、無線私設ネットワークのみにおいて使用されると仮定して説明する。
【００４０】
　ｐＡＮＣ１１２は、端末に対するセッションの割り当て及びＵＡＴＩ設定、及びｐＡＮ-ＡＡＡ１１３を通した端末の認証時に制御を遂行する。これに関する説明は、以下の動作の説明においてより詳細に説明する。
【００４１】
　他のハブ１２０は、一般的に接続される認証システム（ＡＮ−ＡＡＡ）１２２、ＡＮＣ１２３、パケットデータサービスノード（packet data serving node：ＰＤＳＮ）１２４及び端末の情報を貯蔵するＤＬＲ１２１と接続され、各ノード間のデータの中継を遂行する。さらに、他のハブ１２０に無線公衆ネットワークのＡＮＴＳが接続されることができるが、図１には図示しなかった。
【００４２】
　ＰＤＳＮ１２４はインターネット１３０を通して他のパケットサービスノードと接続されるか、ｐＰＤＳＮ１１１と接続されることができる。さらに、ＡＮＣ１２３は、無線高速データシステムの一般的なＡＮＣであり、ＡＮ−ＡＡＡ１２２も無線高速データシステムの一般的な認証システムである。
【００４３】
　ＤＬＲ１２１は、無線高速データシステムの端末に対する情報及び位置情報を貯蔵し、対応する端末のセッションの更新(update)時に端末の情報を提供する。さらに、ＤＬＲ１２１は、一般的な無線公衆ネットワークに含まれる端末の情報を貯蔵している。一般的な無線公衆ネットワークの端末情報とは、端末の情報、使用者情報、サービス等級の情報などである。さらに、ＤＬＲ１２１は、本発明によって無線私設ネットワークの端末情報をさらに備えることもできる。この時、ＤＬＲ１２１に備わる情報は、前記端末が無線私設ネットワークのみにおいてサービスされる場合と、無線私設ネットワーク及び無線公衆ネットワークにおいて同時にサービスされる場合とに区分されることができるが、本発明においては、無線私設ネットワーク及び無線公衆ネットワークの全部においてサービスされる端末として説明する。この場合、ＤＬＲ１２１は、無線私設ネットワークの端末に対して無線公衆ネットワークの端末に必要な情報と同一の情報を有し、これに加えて無線私設ネットワークに対する情報をさらに有する。ここで、無線私設ネットワークに対する情報とは、サービスされる地域、例えば、サービスされるＡＮＴＳまたはセクタ、サービスされる時間情報、及びサービス種類などをさらに備えるべきである。さらに、ＤＬＲ１２１は、端末にＵＡＴＩ情報を割り当てる場合、特別な約束を前もって割り当てるように構成することもできる。
【００４４】
　さらに、私設無線ネットワークの端末がサービスされる場合、無線私設ネットワークへの接続と公衆ネットワークへの接続を区分することのできる識別子をさらに備えて伝送するように構成することもできる。これに対しては、後述する信号フロー図においてより詳細に説明する。
【００４５】
　ｐＡＮＴＳ１０１及びｐＡＮＴＳ１０２、ｐＡＮＣ１１２及びＡＮＣ１２３、ＤＬＲ１２１、ｐＰＤＳＮ１１１及びＰＤＳＮ１２４は、ＩＰに基づいて構成することができる。一般的に、ＡＮＴＳとＡＮＣとの間の接続は、ＡＴＭ基盤にて構成されるが、このように構成される場合、コストの上昇要因になる。従って、ＩＰ基盤にて構成すると、コストの低減の効果を奏することができる。このように、ｐＡＮＴＳ１０１及びｐＡＮＴＳ１０２、ｐＡＮＣ１１２及びＡＮＣ１２３、ＤＬＲ１２１、及びｐＰＤＳＮ１１１及びＰＤＳＮ１２４をＩＰ基盤にて構成する場合、内部の各ボードまたはプロセッサ間の通信は、ＩＰＣ通信を遂行するように構成する。さらに、各ノードの内部プロセッサまたはボードには、内部で使用するためのＩＰを割り当てる。さらに、ノードが所定の電話局または制御局のような局舎内部に位置する場合、内部ＩＰを割り当てて使用することができる。さらに、局舎から遠距離位置するノードは、固定ＩＰを割り当てる。このようにすることによって、ＩＰの不足を防止することができる。
【００４６】
　また、ｐＡＮＴＳ１０１及びｐＡＮＴＳ１０２とｐＡＮＣ１１２及びＡＮＣ１２３との間のインターフェースは、ＡＤＳＬモデムまたはケーブルモデム(Cable Modem)などを利用することができる。さらに、ｐＡＮ−ＡＡＡ１１３及びＡＮ−ＡＡＡ１２２、ｐＰＤＳＮ１１１及びＰＤＳＮ１２４は、最初に具現化した時にＩＰ方式を使用するように構成されているので問題がない。
【００４７】
　図２は、本発明によってＩＰを基盤にし、公衆ネットワーク及び私設ネットワークサービスを共通で使用することのできるＡＮＣの機能によるブロック構成図である。図２を参照して、本発明が適用されるＡＮＣの構成及び動作に対して詳細に説明する。さらに、以下の説明において、前記ＡＮＣは、図１の私設無線ネットワークのｐＡＮＣ１１２であると仮定して説明する。
【００４８】
　制御部２１１は、ｐＡＮＣ１１２の全般的な動作を制御する。例えば、端末の認証のためのセッションの設定及び更新、ＵＡＴＩの割り当てのための制御、呼設定によるトラヒック制御、各種シグナリング制御などを遂行する。シグナル処理部２１２は、ｐＡＮＣ１１２において必要とする各種シグナリングの処理を遂行する。例えば、端末へのページング信号の伝達、または、ＤＬＲ１２１にセッション情報の割り当てまたは更新、位置情報の貯蔵及びＵＡＴＩの割り当てなどに関連した動作の制御を遂行する。プロトコル処理部２１３は、制御部２１１の制御によってｐＰＤＳＮ１１１またはＰＤＳＮ１２４及びＡＴ１１間の通信時に必要なプロトコルの処理を遂行する。トラヒック処理部２１４は、制御部２１１の制御によってｐＰＤＳＮ１１１及びＰＤＳＮ１２４からＡＴ１１に伝達されるトラヒックを処理するか、ＡＴ１１からｐＰＤＳＮ１１１及びＰＤＳＮ１２４に伝達されるトラヒックを処理するか、または、ＡＴ１１から他のＡＴ２１に伝達されるトラヒックを処理する。メモリ２１５は、ｐＡＮＣ１１２の全般的な制御のためのプログラムデータを貯蔵し、さらに、ｐＡＮＣ１１２の領域に位置する端末のセッション情報及びＵＡＴＩを貯蔵し、通信時に発生される制御データ及び臨時貯蔵されるべきトラヒックデータなどを貯蔵する。
【００４９】
　制御部２１１、シグナル処理部２１２、プロトコル処理部２１３、トラヒック処理部２１４、メモリ２１５及びＩＰ通信インターフェース２１７は、プロセス間通信（interprocessor communication：ＩＰＣ）のために備わるＩＰＣ通信線路２１６を通して接続されて通信を遂行する。ｐＡＮＣ１１２が複数枚のボードから構成され、制御部２１１、シグナル処理部２１２、プロトコル処理部２１３及びトラヒック処理部２１４などがそれぞれ異なるボードから構成される場合、ボード毎には内部で処理するためのＩＰを割り当ててＩＰ通信を遂行することができる。さらに、ｐＡＮＣ１１２が局舎から遠距離に位置する場合、ｐＡＮＣ１１２に固定されたＩＰを割り当ててデータを送受信することができるように構成することもできる。これは、ｐＡＮＣ１１２だけでなくｐＡＮＴＳ１０１にも同一に適用して構成することができる。
【００５０】
　ＩＰ通信インターフェース２１７は、ｐＡＮＣ１１２と他の装置との間のＩＰ通信時、送信及び受信されるトラヒックデータまたはシグナリング信号のインターフェースを遂行する。つまり、ＩＰ通信プロトコルによって受信される信号及びデータを内部で処理可能の形態に変換した後、ＩＰＣ通信線路２１６を通して制御部２１１及びシグナル処理部２１２、プロトコル処理部２１３、トラヒック処理部２１４に伝達する。さらに、ＩＰ通信インターフェース２１７は、バッファリングが必要である場合、メモリ２１５にデータを貯蔵する。
【００５１】
　図２においては、ｐＡＮＣ１１２に対して説明しているが、ｐＡＮＴＳ１０１及びｐＡＮＴＳ１０２、及び私設無線ネットワークでない無線公衆ネットワークのＡＮＣ１２３にも同一に適用されることができる。また、図１の説明のように、端末の種類が無線私設ネットワーク端末であるか、無線公衆ネットワークの端末であるかに対する検査をハブ１１０において検出するように構成したが、これをｐＡＮＣ１１２において遂行するように構成することもできる。このように構成する場合、ハブにおける検出を制御部２１１において検出するように構成するか、または、ハブにおける検出のような検出動作のためのボードを別に備えて処理するように構成することもできる。つまり、本発明において、端末の種類が無線私設ネットワークの端末であるか、無線公衆ネットワークの端末であるかに対する検査のみを遂行すれば良く、位置は、どこに位置しても関係がない。好ましくは本発明の一実施形態のように、ハブ１１０またはｐＡＮＣ１１２に位置するとよい。
【００５２】
　図３は、本発明によって私設ネットワークの端末において発信が要求される場合の信号フロー図である。以下、図１乃至図３を参照して、無線私設ネットワークにおいて無線私設ネットワークの端末が呼の発信を要求する場合、各システムの動作及び信号の流れ過程を詳細に説明する。
【００５３】
　無線私設ネットワークのＡＴ１１は、呼の１ｘ ＥＶ-ＤＯサービスを要求する場合、ｐＡＮＴＳ１０１に接続要求信号をエアインターフェースに定義された規約に従って、ＵＡＴＩ及び発信しようとする対象の目的地アドレスを含めて伝送する。ｐＡＮＴＳ１０１は、接続要求信号を受信すると、３０２段階に進行してＩＰ通信処理してハブ１１０に伝達する。ハブ１１０は、接続要求信号が受信されると、３０４段階で、無線私設ネットワークへの接続が要求された呼であるか、それとも無線公衆ネットワークへの接続が要求された呼であるかを検査する。この検査は、図１において説明したように、予め貯蔵された特定の目的地アドレス及びＡＴ１１のサーバアドレスによって決定される。ここでは、無線私設ネットワークへの接続が要求される場合に仮定して説明する。
【００５４】
　ハブ１１０は、３０４段階の検査結果、無線私設ネットワークに接続が要求された場合、３０６段階に進行して、ＩＰ通信プロトコルによって接続要求信号を無線私設ネットワークあるいは無線公衆ネットワークに共に使用されるｐＡＮＣ１１２に伝達する。ｐＡＮＣ１１２は、ＩＰ通信インターフェース２１７を通して接続要求信号を受信する。そうすると、ｐＡＮＣ１１２のＩＰ通信インターフェース２１７は、シグナル処理部２１２に接続要求信号を送信する。そうすると、シグナル処理部２１２は、制御部２１１に接続が要求されたことを知らせる。これに従って、制御部２１１は、シグナル処理部２１２を制御してｐＡＮ-ＡＡＡ１１３に認証要求信号を伝達する。認証要求信号は、ＩＰ通信インターフェース２１７を通してｐＡＮ-ＡＡＡ１１３に伝達される。つまり、図３の３０８段階の認証要求信号がｐＡＮＣ１１２からｐＡＮ-ＡＡＡ１１３に伝達される。
【００５５】
　ｐＡＮ-ＡＡＡ１１３は、認証要求信号を受信すると、端末のＵＡＴＩによって認証の可否を検査する。さらに、ｐＡＮ-ＡＡＡ１１３は、３１０段階に進行し、認証の可否の確認結果をｐＡＮＣ１１２に伝達する。前記認証確認信号は、認証の成功または失敗に区分することができる。認証が成功した場合、図３による処理過程を遂行する。しかしながら、認証が失敗した場合は、認証失敗信号を生成してＡＴ１１に伝達する過程を遂行する。認証の失敗処理は、一般的な１ｘ ＥＶ-ＤＯシステムにおいて遂行される認証失敗過程と同一である。
【００５６】
　さらに、ｐＡＮＣ１１２において認証確認信号の処理過程は、シグナル処理部２１２及び制御部２１１において遂行され、内部の処理は、ＩＰＣ通信線路２１６を通して伝達され、その以前の信号受信過程は、ＩＰ通信インターフェース２１７を通して遂行される。また、ｐＡＮＣ１１２の制御部２１１は、認証が成功した場合、段階に進行してシグナル処理部２１２を制御し、接続確認信号をハブ１１０及びｐＡＮＴＳ１０１を通して伝達する。
【００５７】
　ｐＡＮＴＳ１０１は、前述した過程を通して接続確認信号を受信すると、３１４段階に進行し、ＡＴ１１に接続確認信号をエアインターフェースを通して伝達する。これによって接続確認信号を受信したＡＴ１１は、３１６段階に進行し、前記目標したｐＰＤＳＮ１１１と通信モードを遂行する。前記説明においては、私設無線ネットワークへの呼の要求が行われる場合に仮定したので、ｐＰＤＳＮ１１１と通信を遂行する場合が説明されている。しかしながら、公衆無線ネットワークのＰＤＳＮ１２４に呼を要求する場合も、他のハブ１２０と公衆無線ネットワークのＡＮ−ＡＡＡ１２２のみをさらに経るようになるだけであり、前述した過程と同一に遂行される。
【００５８】
　前記データの送信及び受信は、ｐＡＮＣ１１２のトラヒック処理部２１４を通して行われる。さらに、送信及び受信されるデータのプロトコル処理は、プロトコル処理部２１３において処理されて伝達される。さらに、図３においては、ｐＡＮＣ１１２からｐＰＤＳＮ１１１への信号処理過程は図示していない。これは、１ｘ ＥＶ-ＤＯシステムにおいて遂行される一般的な過程と同一であるので、認証以後にすぐに端末に接続確認信号を送信した後、通信モードを遂行するためである。
【００５９】
　また、通信モードが完了すると、移動端末の位置登録を遂行するように構成することができる。このような位置登録は、一般的な１ｘ ＥＶ-ＤＯシステムにおいて遂行される位置登録過程と同一である。
【００６０】
　図４は、本発明によって私設パケットデータサービスノードから私設ネットワークの端末に呼の着信が要求される場合の信号フロー図である。以下、図１、図２及び図４を参照して、私設無線ネットワークにおいて私設端末に呼が着信される場合、各システムの動作及び信号の流れ過程を詳細に説明する。
【００６１】
　ｐＰＤＳＮ１１１から私設無線ネットワークのＡＴ１１に呼の着信が要求される場合、４００段階で、ｐＰＤＳＮ１１１は、予め決定されたｐＡＮＣ１１２に接続要求信号を送信する。この時、予め決定されたｐＡＮＣ１１２は、無線私設ネットワークの動作のみを遂行するＡＮＣまたは無線私設ネットワークもしくは無線公衆ネットワークの動作を並行するＡＮＣである。この時、接続要求信号は、ハブ１１０を通して伝達されるが、図４においては、これを特別に区別して図示していない。
【００６２】
　ｐＡＮＣ１１２のＩＰ通信インターフェース２１７は、接続要求信号が受信されると、図３において説明したように、シグナル処理部２１２に伝達し、ここで、処理されたデータは、制御部２１１に伝達される。これによって、制御部２１１は、所定の端末に接続が要求された状態であるので、ＤＬＲ１２１に伝達するページング要求信号を生成することを制御する。このようなページング要求信号は、シグナル処理部２１２において生成され、４０２段階に進行してＤＬＲ１２１に伝達される。ＤＬＲ１２１は、ページング要求信号を受信すると、端末の位置情報を検索し、前記検索結果をｐＡＮＣ１１２に伝達する。
【００６３】
　これによって、ページング応答信号を受信すると、ｐＡＮＣ１１２は、自分の下位に接続されたＡＮＴＳに端末が存在する場合、対応するＡＮＴＳにページング要求信号を送信する。しかしながら、ｐＡＮＣ１１２は、自分の下位に接続されたＡＮＣに端末が存在しない場合、対応する端末が位置したＡＮＴＳを有するＡＮＣにページング要求信号を送信する。以下の説明においては、呼が着信される端末が無線私設ネットワークに含まれた端末であり、前記端末が無線私設ネットワークのｐＡＮＴＳ１０１の地域に含まれた場合に仮定して説明する。
【００６４】
　ｐＡＮＣ１１２は、このように、自分の下位にＡＴ１１が位置する場合、４０６段階で、ハブ１１０を通して対応するｐＡＮＴＳ１０１にページング要求信号を送信する。ｐＡＮＴＳ１０１は、ページング要求信号を受信すると、４０８段階に進行し、エアインターフェースに定義されたように、対応する端末に呼が着信されたことを知らせるページング動作を遂行する。
【００６５】
　この時、ＡＴ１１の使用者が応答する場合、ＡＴ１１は、４１０段階に進行し、エアインターフェースに定義されたことに従って、ｐＡＮＴＳ１０１にページング応答信号を送信する。ページング応答信号を受信すると、ｐＡＮＴＳ１０１は、４１２段階で、ページング応答信号をハブ１１０を通してｐＡＮＣ１１２に伝達する。ｐＡＮＣ１１２は、４１４段階でページング応答信号が受信されると、ｐＡＮ-ＡＡＡ１１３に認証を要求する信号を生成して伝達する。この時にも、前述したように、ＩＰ通信を通して要求する。
【００６６】
　そうすると、ｐＡＮ-ＡＡＡ１１３は、認証の検査を遂行し、認証確認信号を生成して、４１６段階で、ｐＡＮＣ１１２に伝達する。前記認証確認信号は、認証の成功または失敗に区分することができる。認証が成功した場合、図４による処理過程、つまり、４１８段階に進行し、ＡＴ１１とｐＰＤＳＮ１１１との間の通信モードを遂行する。しかしながら、認証が失敗した場合は、認証失敗信号を生成してＡＴ１１及びｐＰＤＳＮ１１１に伝達する過程を遂行する。認証の失敗処理は、一般的な１ｘ ＥＶ-ＤＯシステムにおいて遂行される認証失敗過程と同一である。
【００６７】
　また、通信モードが完了すると、移動端末の位置登録を遂行するように構成することができる。このような位置登録は、一般的な１ｘ ＥＶ-ＤＯシステムにおいて遂行される位置登録過程と同一である。
【００６８】
　前述の如く、本発明の詳細な説明では具体的な一実施形態を参照して詳細に説明してきたが、本発明の範囲は一実施形態によって限られるべきではなく、本発明の範囲内で様々な変形が可能であるということは、当該技術分野における通常の知識を持つ者には明らかである。
【図面の簡単な説明】
【００６９】
【図１】本発明の一実施形態による無線高速データシステムにおける公衆ネットワークあるいは私設ネットワークを共用で使用するためのネットワークの構成図。
【図２】本発明によってＩＰを基盤にし、公衆ネットワーク及び私設ネットワーク サービスを共通で使用することのできるＡＮＣの機能によるブロック構成図。
【図３】本発明によって私設ネットワークの端末において発信が要求される場合の信号フロー図。
【図４】本発明によって私設パケットデータサービスノードから私設ネットワークの端末に呼の着信が要求される場合の信号フロー図。
【符号の説明】
【００７０】
１０、２０　無線領域
１１、２１　端末（ＡＴ）
１０１、１０２　基地局（ｐＡＮＴＳ）
１１０　ハブ
１１１　私設パケットデータサービスノード（ｐＰＤＳＮ）
１１２　基地局制御器（ｐＡＮＣ）
１１３　私設認証システム（ｐＡＮ−ＡＡＡ）
１２０　他のハブ
１２１　データ位置貯蔵器（ＤＬＲ）
１２２　認証システム（ＡＮ−ＡＡＡ）
１２３　基地局制御器（ＡＮＣ）
１２４　パケットデータサービスノード（ＰＤＳＮ）
１３０　インターネット
２１１　制御部
２１２　シグナル処理部
２１３　プロトコル処理部
２１４　トラヒック処理部
２１５　メモリ
２１６　ＩＰＣ通信線路
２１７　ＩＰ通信インターフェース
　
【図１】
2004104802.tif 000003
【図２】
2004104802.tif 000004
【図３】
2004104802.tif 000005
【図４】
2004104802.tif 000006